(57)【要約】【課題】空間の中心から外れた位置に配置されても流体散布にムラが生じにくい噴射ノズルを提供すること。【解決手段】空間の内部に位置し、空間を区画する区画体の、空間に面した表面に向けて流体を噴射する噴射ノズルであって、噴射ノズルは、流体を噴射する複数の噴射孔を有する、回転可能なノズル体を備えている。複数の噴射孔３１Ａの断面積ＳＨ１〜ＳＨ４は、噴射孔３１Ａから噴射された流体の、区画体の、空間に面した表面における各到達点が、ノズル体の回転によって区画体の、空間に面した表面に描く流体到達線で仕切られた範囲の面積に応じて設定されている。【選択図】図８
2020093239.tif 000002
【特許請求の範囲】
【請求項１】
空間の内部に位置し、前記空間を区画する区画体の、前記空間に面した表面に向けて流体を噴射する噴射ノズルであって、
前記流体を噴射する複数の噴射孔を有する、回転可能なノズル体を備え、
前記複数の噴射孔の少なくとも一部の断面積は、
前記複数の噴射孔から噴射された前記流体の、前記区画体の、前記空間に面した表面における各到達点が、前記ノズル体の回転によって前記区画体の、前記空間に面した表面に描く流体到達線で仕切られた範囲の面積に応じて設定されていること
を特徴とする噴射ノズル。
【請求項２】
前記複数の噴射孔の少なくともの一部の中心間の間隔は、
前記ノズル体の表面において、等間隔であること
を特徴とする請求項１に記載の噴射ノズル。
【請求項３】
空間の内部に位置し、前記空間を区画する区画体の、前記空間に面した表面に向けて流体を噴射する噴射ノズルであって、
前記流体を噴射する複数の噴射孔を有する、回転可能なノズル体を備え、
前記複数の噴射孔の少なくとも一部は、前記ノズル体に、
前記複数の噴射孔から噴射された前記流体の、前記区画体の、前記空間に面した表面における各到達点の間隔が均等になるように設定されていること
を特徴とする噴射ノズル。
【請求項４】
前記複数の噴射孔の少なくとも一部は、前記ノズル体に、
前記複数の噴射孔から噴射された前記流体の、前記区画体の、前記空間に面した表面における各到達点の間隔を均等になるように設定し、前記各到達点から前記ノズル体に向かうラインに沿って設けられていること
を特徴とする請求項１に記載の噴射ノズル。
【請求項５】
前記区画体は、前記ノズル体が取り付けられる噴射ノズル取付面を有し、
前記ノズル体は、球状ノズル体であり、
前記複数の噴射孔の少なくとも一部は、
前記球状ノズル体の、前記噴射ノズル取付面側に位置する取付面側半球部に設けられていること
を特徴とする請求項１〜４のいずれか１項に記載の噴射ノズル。
【請求項６】
前記複数の噴射孔の少なくとも一部は、
前記球状ノズル体に、前記球状ノズル体の前記噴射ノズル取付面側の頂点と、前記球状ノズル体の、前記噴射ノズル取付面と対向した対向面側の頂点とを通り、前記球状ノズル体の表面に描いた１つ円の円弧に沿って、配されていること
を特徴とする請求項５に記載の噴射ノズル。
【請求項７】
前記複数の噴射孔の少なくとも一部は、
前記球状ノズル体に、前記球状ノズル体の前記噴射ノズル取付面側の頂点と、前記球状ノズル体の前記噴射ノズル取付面と対向した対向面側の頂点とを結ぶ軸を中心に回転させた場合の回転方向にずれて、配されていること
を特徴とする請求項５に記載の噴射ノズル。
【請求項８】
空間の内部に位置し、前記空間を区画する区画体の、前記空間に面した表面に向けて流体を噴射する噴射ノズルを含む噴射システムであって、
前記噴射ノズルは、請求項１〜７のいずれか１項に記載の噴射ノズルであること
を特徴とする噴射システム。
【請求項９】
前記空間は、角筒形の内壁、又は円筒形の内壁を含むこと
を特徴とする請求項８に記載の噴射システム。
【請求項１０】
前記内壁は、天井と床との間に設けられていること
を特徴とする請求項９に記載の噴射システム。
【発明の詳細な説明】
【技術分野】
【０００１】
この発明は、噴射ノズル及び噴射システムに関する。
【背景技術】
【０００２】
浴室を使用し続けると、浴室の内面、例えば、浴槽、床、内壁、天井、浴槽、窓、及びドア等に汚れが付着する。浴室の洗浄は、人による洗浄と拭き取りによって行われているが、効率性、及び衛生性の更なる向上を図るため、浴室洗浄システムの開発が進んでいる。例えば、特許文献１には、浴室自動洗浄システムが記載されている。この浴室自動洗浄システムは、浴室の天井から床に向けて設けられた、上下動自在なノズル軸と、ノズル軸の先端に取り付けられた、水圧で回転するスプリンクラー式ノズルと、を備えている。洗浄時には、ノズル軸を上下動させながら、先端のスプリンクラー式ノズルから浴室の内面の全体へ温水を散水する。
【先行技術文献】
【特許文献】
【０００３】
【特許文献１】特開平８−２０９９５７号公報
【発明の概要】
【発明が解決しようとする課題】
【０００４】
特許文献１に記載された浴室自動洗浄システムでは、ノズル軸が上下動するので、浴室内の縦方向の全域に散水することができる。しかし、ノズル軸を上下動させるために、構造や制御系が複雑となり、製品コストが上昇しやすい。
【０００５】
また、ノズルは、浴室、即ち空間の中心に配置されて散水する仕様となっている。このため、ノズル表面には、複数の噴射孔が均等に配置される。また、噴射孔それぞれの大きさも均一とされる。このようなノズルが、浴室の中心に存在すると邪魔である。このため、人が入室する際には、ノズルが邪魔にならないように、ノズルを天井側に移動させるか、ノズルを取り外す必要があり、不便である。
【０００６】
このような不便を解消するためには、ノズルを空間の中心から外れた位置に配置すること、例えば、ノズルを天井に近接させて配置することが考えられる。しかし、ノズルを天井に近接させて配置すると、ノズル近傍では散水量が多くなるが、ノズルから離れるほど散水量が少なくなり、散水にムラが生じる、という事情がある。
【０００７】
この発明は、上記事情に鑑みて為されたもので、その目的は、空間の中心から外れた位置に配置されても流体散布にムラが生じにくい噴射ノズル、及びそのような噴射ノズルを備えた噴射システムを提供することにある。
【課題を解決するための手段】
【０００８】
第１発明に係る噴射ノズルは、空間の内部に位置し、前記空間を区画する区画体の、前記空間に面した表面に向けて流体を噴射する噴射ノズルであって、前記流体を噴射する複数の噴射孔を有する、回転可能なノズル体を備え、前記複数の噴射孔の少なくとも一部の断面積は、前記複数の噴射孔から噴射された前記流体の、前記区画体の、前記空間に面した表面における各到達点が、前記ノズル体の回転によって前記区画体の、前記空間に面した表面に描く流体到達線で仕切られた範囲の面積に応じて設定されていることを特徴とする。
【０００９】
第２発明に係る噴射ノズルは、第１発明において、前記複数の噴射孔の少なくともの一部の中心間の間隔は、前記ノズル体の表面において、等間隔であることを特徴とする。
【００１０】
第３発明に係る噴射ノズルは、空間の内部に位置し、前記空間を区画する区画体の、前記空間に面した表面に向けて流体を噴射する噴射ノズルであって、前記流体を噴射する複数の噴射孔を有する、回転可能なノズル体を備え、前記複数の噴射孔の少なくとも一部は、前記ノズル体に、前記複数の噴射孔から噴射された前記流体の、前記区画体の、前記空間に面した表面における各到達点の間隔が均等になるように設定されていることを特徴とする。
【００１１】
第４発明に係る噴射ノズルは、第１発明において、前記複数の噴射孔の少なくとも一部は、前記ノズル体に、前記複数の噴射孔から噴射された前記流体の、前記区画体の、前記空間に面した表面における各到達点の間隔を均等になるように設定し、前記各到達点から前記ノズル体に向かうラインに沿って設けられていることを特徴とする。
【００１２】
第５発明に係る噴射ノズルは、第１発明〜第４発明のいずれか１つにおいて、前記区画体は、前記ノズル体が取り付けられる噴射ノズル取付面を有し、前記ノズル体は、球状ノズル体であり、前記複数の噴射孔の少なくとも一部は、前記球状ノズル体の、前記噴射ノズル取付面側に位置する取付面側半球部に設けられていることを特徴とする。
【００１３】
第６発明に係る噴射ノズルは、第５発明において、前記複数の噴射孔の少なくとも一部は、前記球状ノズル体に、前記球状ノズル体の前記噴射ノズル取付面側の頂点と、前記球状ノズル体の、前記噴射ノズル取付面と対向した対向面側の頂点とを通り、前記球状ノズル体の表面に描いた１つ円の円弧に沿って、配されていることを特徴とする。
【００１４】
第７発明に係る噴射ノズルは、第５発明において、前記複数の噴射孔の少なくとも一部は、前記球状ノズル体に、前記球状ノズル体の前記噴射ノズル取付面側の頂点と、前記球状ノズル体の前記噴射ノズル取付面と対向した対向面側の頂点とを結ぶ軸を中心に回転させた場合の回転方向にずれて、配されていることを特徴とする。
【００１５】
第８発明に係る噴射システムは、空間の内部に位置し、前記空間を区画する区画体の、前記空間に面した表面に向けて流体を噴射する噴射ノズルを含む噴射システムであって、前記噴射ノズルは、第１発明〜第７発明のいずれか１つに記載の噴射ノズルであることを特徴とする。
【００１６】
第９発明に係る噴射システムは、第８発明において、前記空間は、角筒形の内壁、又は円筒形の内壁を含むことを特徴とする。
【００１７】
第１０発明に係る噴射システムは、第９発明において、前記内壁は、天井と床との間に設けられていることを特徴とする。
【発明の効果】
【００１８】
第１発明に係る噴射ノズルによれば、複数の噴射孔の少なくとも一部の断面積は、複数の噴射孔から噴射された流体の、区画体の、空間に面した表面における各到達点が、ノズル体の回転によって区画体の、空間に面した表面に描く流体到達線で仕切られた範囲の面積に応じて設定されている。これにより、空間の中心から外れた位置に配置されても、流体散布にムラが生じにくい噴射ノズルを得ることができる。また、流体が液体であるとき、ノズル体の近傍における液垂れを抑制できる。これにより、区画体の、空間に面した表面を、清浄度よく、しかも、均一に洗浄することが可能な噴射ノズルを得ることができる。
【００１９】
第２発明に係る噴射ノズルによれば、第１発明において、複数の噴射孔の少なくともの一部の中心間の間隔は、ノズル体の表面において、等間隔である。このように、噴射孔の少なくともの一部の中心間の間隔を等間隔としても、流体散布にムラが生じにくい噴射ノズルを得ることができる。また、流体が液体であるとき、ノズル体の近傍における液垂れを抑制でき、区画体の、空間に面した表面を、清浄度よく、しかも、均一に洗浄することが可能な噴射ノズルを得ることができる。
【００２０】
第３発明に係る噴射ノズルによれば、複数の噴射孔の少なくとも一部は、ノズル体に、複数の噴射孔から噴射された流体の、区画体の、空間に面した表面における各到達点の間隔を均等になるように設定し、各到達点からノズル体に向かうラインに沿って設けられている。これにより、空間の中心から外れた位置に配置されても、流体散布にムラが生じにくい噴射ノズルを得ることができる。また、流体が液体であるとき、ノズル体の近傍における液垂れを抑制できる。これにより、区画体の、空間に面した表面を、清浄度よく、しかも、均一に洗浄することが可能な噴射ノズルを得ることができる。
【００２１】
第４発明に係る噴射ノズルによれば、第１発明において、複数の噴射孔の少なくとも一部は、ノズル体に、複数の噴射孔から噴射された流体の、区画体の、空間に面した表面における各到達点の間隔を均等になるように設定し、各到達点からノズル体に向かうラインに沿って設けられている。これにより、流体散布にムラが、さらに生じにくい噴射ノズルを得ることができる。また、流体が液体であるとき、ノズル体の近傍における液垂れを、より強力に抑制することができる。
【００２２】
第５発明に係る噴射ノズルによれば、第１発明〜第４発明のいずれか１つにおいて、区画体は、ノズル体が取り付けられる噴射ノズル取付面を有し、ノズル体は、球状ノズル体である。そして、複数の噴射孔の少なくとも一部は、球状ノズル体の、噴射ノズル取付面側に位置する取付面側半球部に設けられている。これにより、区画体の噴射ノズル取付面に対する流体散布にムラが生じにくい噴射ノズルを得ることができる。また、流体が液体であるとき、ノズル体の近傍における液垂れを抑制できる。これにより、区画体の噴射ノズル取付面を、清浄度よく、しかも、均一に洗浄することが可能な噴射ノズルを得ることができる。
【００２３】
第６発明に係る噴射ノズルによれば、第５発明において、噴射ノズルの１つの具体例が提供される。
【００２４】
第７発明に係る噴射ノズルによれば、第５発明において、噴射ノズルの別の具体例が提供される。また、複数の噴射孔の一部を回転方向にずれて配するので、複数の噴射孔の少なくとも一部のそれぞれが互いに干渉することを抑制できる。
【００２５】
第８発明に係る噴射システムによれば、第１発明〜第７発明のいずれか１つに記載の噴射ノズルを備えている。これにより、噴射ノズルが、空間の中心から外れた位置に配置されても、流体散布にムラが生じにくい噴射システムを得ることができる。また、流体が液体であるとき、ノズル体の近傍における液垂れを抑制できる。これにより、区画体の、空間に面した表面を、清浄度よく、しかも、均一に洗浄することが可能な噴射システムを得ることができる。
【００２６】
第９発明に係る噴射システムによれば、第８発明において、空間の具体例が提供される。
【００２７】
第１０発明に係る噴射システムによれば、第９発明において、角筒形の内壁、又は円筒形の内壁を含む空間の具体例が提供される。
【図面の簡単な説明】
【００２８】
【図１】図１は、この発明の第２実施形態に係る噴射ノズルが用いられた浴室洗浄システムを備えた浴室の模式斜視図である。
【図２】図２は、浴室洗浄システムの一例を示す模式ブロック図である。
【図３】図３（ａ）は、この発明の参考例に係る噴射ノズルと散水ラインとの関係を示す図である。図３（ｂ）は、この発明の参考例に係る噴射ノズルの一例を示す模式断面図である。
【図４】図４は、この発明の参考例に係る噴射ノズルと到達点との関係を示す模式図である。
【図５】図５は、浴室内における散水ラインを示す模式側面図である。
【図６】図６は、浴室の内面に描かれる流体到達線を示す模式斜視図である。
【図７】図７（ａ）は、浴室の天井に描かれる流体到達線を示す模式平面図である。図７（ｂ）は、浴室の内壁に描かれる流体到達線を示す模式側面図である。
【図８】図８は、この発明の第１実施形態に係る噴射ノズルの噴射孔の一例を示す模式図である。
【図９】図９（ａ）は、この発明の第２実施形態に係る噴射ノズルの一例を示す模式側面図である。図９（ｂ）は、この発明の第２実施形態に係る噴射ノズルの一例を示す模式斜視図である。
【図１０】図１０は、この発明の第２実施形態に係る噴射ノズルの噴射孔の一例を示す模式図である。
【図１１】図１１は、この発明の第２実施形態に係る噴射ノズルと到達点との関係を示す模式図である。
【図１２】図１２（ａ）は、この発明の第２実施形態に係る噴射ノズルと散水ラインとの関係を示す図である。図１２（ｂ）は、この発明の第２実施形態に係る噴射ノズルの一例を示す模式断面図である。
【図１３】図１３は、この発明の第２実施形態に係る噴射ノズルの散水性能確認試験の結果を示す図である。
【図１４】図１４（ａ）は、噴射ノズルの取り付け位置と到達点との関係を示す模式平面図である。図１４（ｂ）は、噴射ノズルの取り付け位置と到達点との関係を示す模式側面図である。
【図１５】図１５（ａ）は、噴射ノズルの取り付け位置と到達点との関係を示す模式平面図である。図１５（ｂ）は、噴射ノズルの取り付け位置と到達点との関係を示す模式側面図である。
【図１６】図１６（ａ）及び図１６（ｂ）は、参考例に係る噴射ノズルの取り付け位置と天井における到達点との関係を示す模式側面図である。
【図１７】図１７は、この発明の第２実施形態の第１変形例に係る噴射ノズルの一例を示す模式断面図である。
【図１８】図１８は、この発明の第２実施形態の第２変形例に係る噴射ノズルの一例を示す模式断面図である。
【図１９】図１９は、この発明の第２実施形態の第３変形例に係る噴射ノズルの一例を示す模式断面図である。
【図２０】図２０は、この発明の第２実施形態の第４変形例に係る噴射ノズルの一例を示す模式側面図である。
【図２１】図２１は、この発明の第２実施形態の第５変形例に係る噴射ノズルの一例を示す模式側面図である。
【図２２】図２２は、この発明の第２実施形態の第６変形例に係る噴射ノズルの一例を示す模式側面図である。
【図２３】図２３は、この発明の第２実施形態の第７変形例に係る噴射ノズルの一例を示す模式側面図である。
【図２４】図２４（ａ）は、この発明の第３実施形態に係る噴射ノズルの一例を示す模式側面図である。図２４（ｂ）は、この発明の第３実施形態に係る噴射ノズルの一例を示す模式斜視図である。
【図２５】図２５は、この発明の第３実施形態の第１変形例に係る噴射ノズルの一例を示す模式側面図である。
【図２６】図２６は、この発明の第３実施形態の第２変形例に係る噴射ノズルの一例を示す模式側面図である。
【図２７】図２７は、この発明の噴射ノズルと散水領域との関係を示す図である。
【図２８】図２８は、この発明の第４実施形態に係る噴射ノズルの噴射孔の一例を示す模式図である。
【図２９】図２９は、この発明の第４実施形態に係る噴射ノズルの散水性能確認試験の結果を示す図である。
【図３０】図３０（ａ）〜図３０（ｃ）は、この発明の第５実施形態に係る噴射ノズルの散水方法を示す模式図である。
【図３１】図３１（ａ）は、空間の第１例を示す模式斜視図である。図３１（ｂ）は、空間の第２例を示す模式斜視図である。
【発明を実施するための形態】
【００２９】
以下、この発明の実施形態を、図面を参照しながら説明する。なお、各図において、高さ方向を第１方向Ｚとし、第１方向Ｚと交差、例えば直交する１つの平面方向を第２方向Ｘとし、第１方向Ｚ及び第２方向Ｘのそれぞれと交差、例えば直交する別の平面方向を第３方向Ｙとする。また、各図において、共通する部分については、共通する参照符号を付し、重複する説明は省略する。
【００３０】
（第１実施形態）
＜浴室洗浄システム＞
図１は、この発明の第１実施形態に係る噴射ノズルが用いられた浴室洗浄システムを備えた浴室の模式斜視図である。図２は、浴室洗浄システムの一例を示す模式ブロック図である。
【００３１】
図１に示すように、浴室洗浄システム１は、浴室２に設けられている。浴室２は、空間である。浴室２は、内壁４、天井５、及び床７を含む。内壁４は、天井５と床７との間に設けられている。内壁４、天井５、及び床７は、空間を区画する区画体である。床７は、浴槽３と隣接する。内壁４及び天井５のそれぞれは、浴槽３と床７の上部空間を囲って内空部に浴室２を形成する。内壁４の少なくとも１つには、シャワー８及び水栓９が設けられている。浴室２外には、ユーザが浴室洗浄システム１を制御するための操作部１０が設けられている。天井５には、浴室洗浄システム１に付属する噴射ノズル１６、及び浴室２内を乾燥させるための乾燥機２２のそれぞれが設けられている。噴射ノズル１６は、浴室２の内部に位置し、例えば、浴室２の噴射ノズル取付面に取り付けられている。第１実施形態において、噴射ノズル１６は、天井５に取り付け部３２を介して取り付けられている。第１実施形態において、噴射ノズル取付面は、天井５である。
【００３２】
図２に示すように、浴室洗浄システム１は、例えば、給水源１１と、分岐部１２と、供給水散布ユニット１７と、制御部２３と、を含む。給水源１１は、水道水を給水する。分岐部１２は、給水源１１からの水道水を分岐し、一方をシャワー８及び水栓９へと導くと共に、他方を給水路１４へと導く。供給水散布ユニット１７は、給水路１４から水道水が供給される制御弁１５を有する。制御弁１５の一端は給水路１４に接続され、他端は噴射ノズル１６に接続される。制御弁１５は、制御部２３からの制御信号に基づき、水道水の給水又は止水の制御を行うための弁である。水道水は、制御部２３の制御により、給水路１４から制御弁１５を介して噴射ノズル１６へと導かれる。噴射ノズル１６は、水道水を、浴室２内の浴槽３、床７、内壁４、及び天井５のそれぞれに噴射する。制御部２３は、供給水散布ユニット１７、及び乾燥機２２のそれぞれを制御する。
【００３３】
乾燥機２２は、制御部２３による制御の下で、浴室２内に温風を送風する。乾燥機２２は、外部空間から空気を吸い込んで熱を溜め込み、その熱を利用して浴室２内に温風を送風するいわゆるヒートポンプ方式、又は内部で熱を作り出して浴室２内に温風を送風する電気ヒーター方式等を採用するものであってもよい。乾燥機２２から温風を送風することにより、浴室２内の水分が蒸発することで乾燥させることが可能となる。なお、この乾燥機２２は、換気扇により浴室２内から高湿な空気を排出するものも含まれる。
【００３４】
操作部１０は、浴室２外に設置された操作パネル又はリモートコントローラ等で構成されており、制御部２３に対して操作信号を有線通信又は無線通信を通じて送信可能なデバイスである。操作部１０は、ユーザにより浴室２内の洗浄を開始する旨の入力が行われた場合に、これを反映させた操作信号を制御部２３に送信する。
【００３５】
制御部２３は、制御弁１５の開閉、及び乾燥機２２による乾燥開始又は乾燥停止を制御する。制御部２３は、操作部１０から操作信号を受信した場合には、当該操作信号に反映されているユーザの意思に基づき、各種制御を行う。制御部２３は、例えばＣＰＵ（Central Processing Unit）による制御の下で、予め記憶させたプログラムに基づいてこれらの制御を行うようにしてもよい。制御部２３は、例えば制御弁１５の各開弁時間及び乾燥機２２による乾燥時間を時系列的に制御するようにしてもよい。
【００３６】
＜噴射ノズル＞
図３（ａ）は、この発明の第１実施形態に係る噴射ノズルと、散水ラインとの関係を示す図である。図３（ｂ）は、この発明の第１実施形態に係る噴射ノズルの一例を示す模式断面図である。図４は、この発明の第１実施形態に係る噴射ノズルと、流体の到達点との関係を示す模式図である。
【００３７】
図３（ａ）〜図４に示すように、第１実施形態に係る噴射ノズル１６は、ノズル体３０を含む。ノズル体３０は、例えば、球状ノズル体である。本明細書において、球状とは、ほぼ真球だけでなく、楕円状の球や、ラグビーボール型、及びたまご型等、球状の部分を有するノズル体を総称して球状ノズル体と呼ぶ。
【００３８】
ノズル体３０の球状表面には、複数の噴射孔３１が設けられている。噴射孔３１からは、液体、例えば、水道水が噴射される。ノズル体３０には、取り付け部３２が設けられている（図４）。ノズル体３０は、取り付け部３２を介して、供給水散布ユニット１７に取り付けられる。ノズル体３０は、取り付け部３２に、例えば、回転可能に取り付けられる。なお、図３（ａ）及び図３（ｂ）では、取り付け部３２の図示を省略している。
【００３９】
供給水散布ユニット１７からノズル体３０へ供給される液体は、水道水に限られることはない。例えば、水道水から、シリカ、カルシウム、及びマグネシウム等の溶解物質を除去した溶解物質除去水、水道水又は溶解物除去水に次亜塩素酸ナトリウム等を添加した殺菌消毒水、あるいは水道水又は溶解物質除去水又は殺菌消毒水に洗浄成分を添加した洗浄水などでもよい。さらに、洗浄時には洗浄水を用い、洗浄水を濯ぎ流す時には、水道水、溶解物質除去水、及び殺菌消毒水のいずれかに切り換えるようにしてもよい。
【００４０】
ここで、ノズル体３０の中心Ｃを通り、床７から天井５へ向かう高さ方向を第１方向Ｚとする。ノズル体３０の中心Ｃを通り、第１方向Ｚと直交するＸＹ平面を、円状水平面Ｈｘｙとする。ノズル体３０において、円状水平面Ｈｘｙより天井（噴射ノズル取付面）５側に位置する部分を天井側半球部（取付面側半球部）Ａとし、円状水平面Ｈｘｙ及び円状水平面Ｈｘｙより床（噴射ノズル対向面）７側のそれぞれに位置する部分を床側半球部（対向面側半球部）Ｂとする。
【００４１】
噴射孔３１の一部は、天井側半球部Ａの表面に設けられ、噴射孔３１の残りは、床側半球部Ｂの表面に設けられている。噴射孔３１のうち、天井側半球部Ａの表面に設けられたものを、噴射孔３１Ａ、床側半球部Ｂに設けられたものを、噴射孔３１Ｂとする（図３（ａ）及び図３（ｂ））。
【００４２】
噴射ノズル１６では、噴射孔３１Ａの間隔Ｌａを、散水ライン（噴射された流体のライン）４１の角度θｖが均等になるように設定する（図３（ａ））。ノズル体３０の天井側半球部Ａが、例えば、ほぼ真球であれば、噴射孔３１Ａの間隔Ｌａのそれぞれはほぼ等間隔となる（図３（ｂ））。このような噴射ノズル１６では、例えば、天井５の、浴室２の内部（空間）に面した表面（以下、浴室２の内部（空間）に面した表面を、便宜上、“浴室面”という）における到達点４０それぞれの間隔Ｌｃは不均等になる（図４）。例えば、到達点４０は、噴射ノズル１６に近いほど密となり、噴射ノズル１６から離れるにつれて疎らとなる。このままであると、天井５の浴室面において、噴射ノズル１６の近傍では散水量が多くなり、噴射ノズル１６から離れるほど散水量が少なくなる。この結果、天井５の浴室面への散水にムラが生じる。そこで、第１実施形態に係る噴射ノズル１６は、以下、説明するように、散水のムラを生じにくくする。なお、本明細書において、等間隔とは、厳密な等間隔だけでなく、実質的な等間隔を含むものとする。実質的な等間隔の例としては、例えば、孔形成の際の許容誤差等の僅かなばらつきを生じた間隔を挙げることができる。
【００４３】
図５は、浴室内における散水ラインを示す模式側面図である。図６は、浴室の内面に描かれる流体到達線を示す模式斜視図である。図７（ａ）は、浴室の天井に描かれる流体到達線を示す模式平面図である。図７（ｂ）は、浴室の内壁に描かれる流体到達線を示す模式側面図である。図８は、この発明の第１実施形態に係る噴射ノズルの噴射孔の一例を示す模式図である。なお、本明細書では、流体到達線は、重力の影響を無視するものとする。
【００４４】
図５〜図７（ｂ）に示すように、噴射孔３１Ａ及び３１Ｂから噴射された流体の、内壁４、天井５、及び床７のそれぞれの浴室面における各到達点４０は、ノズル体３０の回転によって内壁４、天井５、及び床７の浴室面に複数の流体到達線４２を描く。なお、図５〜図７（ｂ）では、噴射された流体のライン（散水ライン４１）の例として、内壁４へ向けて６本、天井５へ向けて４本、及び床７へ向けて４本を模式的に示している。
【００４５】
流体到達線４２は、例えば、天井５の浴室面、及び床７の浴室面のそれぞれの上では、同心円状となり、内壁４の浴室面の上では、縞状となる。流体到達線４２は、内壁４の浴室面、天井５の浴室面、及び床７の浴室面のそれぞれに、２つの流体到達線４２によって仕切られた複数の範囲を区画する。天井５の浴室面、及び床７の浴室面上において、内壁４に最も近い流体到達線４２と内壁４との間にある範囲については、流体到達線４２と内壁４とによって仕切られる。
【００４６】
流体到達線４２によって仕切られた範囲の面積は、天井５においては、ノズル体３０から内壁４へ向かうにつれて大きくなる。例えば、ノズル体３０から内壁４に向かって面積ＳＣ１〜ＳＣ４とすると、ノズル体３０に最も近い範囲の面積ＳＣ１が最も小さく、ノズル体３０から遠ざかるにつれて、面積ＳＣ２、面積ＳＣ３の順で大きくなっていく。ただし、内壁４に最も近い範囲の面積ＳＣ４については、内壁４で仕切られるため、必ずしも最も大きくなるとは限らない。
【００４７】
流体到達線４２によって仕切られた範囲の面積が大きくなると、洗浄に必要な液体の量が増える。天井５の浴室面において、洗浄に必要な液体の量は、ノズル体３０に最も近い範囲が最も少なく、内壁４に近づくにつれて増える。
【００４８】
そこで、図８に示すように、噴射ノズル１６では、流体到達線４２によって仕切られた範囲の面積ＳＣ１〜ＳＣ４のそれぞれに応じて、噴射孔３１Ａの断面積ＳＨ１〜ＳＨ４を設定した。例えば、ノズル体３０の天井側半球部Ａでは、床側に近い噴射孔３１Ａｆから噴射される液体は内壁４に向かい、天井側に近い噴射孔３１Ａｎから噴射される液体は噴射ノズル１６の近くに向かう。第１実施形態では、この知見を利用して、天井側に近い噴射孔３１Ａｎから床側に近い噴射孔３１Ａｆに向かって、例えば、噴射孔３１Ａの断面積ＳＨ１〜ＳＨ４を大きくする（ＳＨ１＜ＳＨ２＜ＳＨ３＜ＳＨ４）。噴射孔３１Ａの中心間の間隔Ｌａは、例えば、ほぼ等間隔である（Ｌａ１≒Ｌａ２≒Ｌａ３）。
【００４９】
このような噴射ノズル１６であると、天井側半球部Ａにおいて、噴射孔３１Ａの断面積ＳＨ１〜ＳＨ４を、面積ＳＣ１〜ＳＣ４に応じて設定するので、ノズル体３０の表面において、噴射孔３１Ａの中心間の間隔Ｌａを等間隔としても、天井５の浴室面への散水にムラが生じにくくなる。これにより、例えば、噴射孔３１Ａの断面積ＳＨ１〜ＳＨ４のそれぞれを等しくした噴射ノズルと比較して、例えば、天井５の浴室面を、より清浄度よく洗浄することができる。断面積ＳＨ１〜ＳＨ４の設定の一例は、噴射孔３１Ａｎから噴射孔３１Ａｆに向かうにしたがって断面積を大きくする、である。
【００５０】
さらに、噴射ノズル１６は、流体として液体、例えば、洗浄水を噴射する。噴射ノズル１６によれば、天井５のノズル体３０の近傍へ洗浄水を噴射する噴射孔３１Ａの断面積が小さくされる。このため、流体が、例えば、洗浄水であるとき、ノズル体３０の近傍の天井５の浴室面に対する洗浄水の供給量は、ノズル体３０から離れた箇所の天井５の浴室面に対する洗浄水の供給量と比較して、相対的に減らすことができる。例えば、ノズル体３０の近傍の天井５の浴室面に対する洗浄水の供給量は、ノズル体３０から離れた箇所の天井５の浴室面に対する洗浄水の供給量と、ほぼ等しい値まで減らすことも可能である。これによれば、ノズル体３０の近傍において、洗浄水の過剰供給を抑制することができ、天井５の浴室面上から洗浄水が滴って発生する液垂れを抑制できる。液垂れが、ノズル体３０の近傍の天井５の浴室面上において生じると、滴った洗浄水によって、ノズル体３０から噴射される洗浄水の散水ライン４１が阻害されてしまう。散水ライン４１が阻害されると、洗浄水が天井５の浴室面に届きにくくなり、天井５の浴室面の均一な洗浄が困難化する。このような事情についても、噴射ノズル１６によれば、ノズル体３０の近傍において、例えば、洗浄水の液垂れを抑制できることから、解消できる。したがって、噴射ノズル１６によれば、例えば、天井５の浴室面を、清浄度よく、しかも、均一に洗浄することができる。
【００５１】
第１実施形態では、天井側半球部Ａについて、噴射孔３１Ａの断面積を、流体到達線４２によって仕切られた範囲の面積に応じて設定したが、床側半球部Ｂについても、噴射孔３１Ｂの断面積を、流体到達線４２によって仕切られた範囲の面積に応じて設定してもよい。
【００５２】
（第２実施形態）
＜噴射ノズル＞
図９（ａ）は、この発明の第２実施形態に係る噴射ノズルの一例を示す模式側面図である。図９（ｂ）は、この発明の第２実施形態に係る噴射ノズルの一例を示す模式斜視図である。図１０は、この発明の第２実施形態に係る噴射ノズルの噴射孔の一例を示す模式図である。
【００５３】
図９（ａ）〜図１０に示すように、第２実施形態に係る噴射ノズル１６ａは、ノズル体３０を含む。ノズル体３０は、例えば、球状ノズル体である。ノズル体３０の球状表面には、複数の噴射孔３１が設けられている。噴射孔３１の一部は、天井側半球部Ａの表面に設けられ、噴射孔３１の残りは、床側半球部Ｂの表面に設けられている。
【００５４】
噴射孔３１Ａ、及び噴射孔３１Ｂのそれぞれは、ノズル体３０の天井（取付面）５側の頂点Ｖ５と、ノズル体３０の床（対向面）７側の頂点Ｖ７とを通り、球状ノズル体３０の表面に描いた１つの円の円弧ＡＲに沿って、配されている。なお、このような噴射孔３１Ａ、及び噴射孔３１Ｂの配置は、第１実施形態においても同様である。噴射孔３１Ｂの、円弧ＡＲに沿った間隔Ｌｂ１〜Ｌｂ４は、等間隔である。これに対して、噴射孔３１Ａの、円弧ＡＲに沿った間隔Ｌａ１〜Ｌａ３は、不等間隔である。例えば、図９（ａ）及び図１０に示すように、噴射孔３１Ａの、円弧ＡＲに沿った間隔Ｌａ１〜Ｌａ３は、円状水平面Ｈｘｙから天井５に向かうにつれて広がっている（Ｌａ１＜Ｌａ２＜Ｌａ３）。また、図１０に示すように、間隔Ｌａ１〜Ｌａ３は、第１実施形態と同様に、噴射孔３１Ａの中心間の間隔が選ばれてもよい。図１０には、間隔Ｌａ１〜Ｌａ３を不等間隔とした噴射ノズルの１つの例として、噴射孔３１Ａの断面積ＳＨ１〜ＳＨ４を互いにほぼ等しくした例が示されている（ＳＨ１≒ＳＨ２≒ＳＨ３≒ＳＨ４）。ただし、噴射孔３１Ａの断面積ＳＨ１〜ＳＨ４は、第１実施形態において説明したように、面積ＳＣ１〜面積ＳＣ４に応じて、断面積ＳＨ１〜ＳＨ４を“ＳＨ１＜ＳＨ２＜ＳＨ３＜ＳＨ４”とされると、天井５の浴室面への散水時において、ムラが生じにくくできるので、なおよい。このような間隔Ｌａ１〜Ｌａ３を不等間隔とし、かつ、断面積ＳＨ１〜ＳＨ４を“ＳＨ１＜ＳＨ２＜ＳＨ３＜ＳＨ４”とした噴射ノズルの１つの例は、別の実施形態として後述することとする。
【００５５】
図１１は、この発明の第２実施形態に係る噴射ノズルと、到達点との関係を示す模式図である。図１２（ａ）は、この発明の第２実施形態に係る噴射ノズルと、散水ラインとの関係を示す図である。図１２（ｂ）は、この発明の第２実施形態に係る噴射ノズルの一例を示す模式断面図である。
【００５６】
図１１〜図１２（ｂ）に示すように、ノズル１６ａでは、天井５の浴室面において、到達点４０の間隔Ｌｃが、均等になるように設定されている。各到達点４０からノズル体３０に向かって、例えば、ノズル体３０の中心Ｃに向かって、散水ライン４１が仮想的に設定される。噴射孔３１Ａは、散水ライン４１に沿ってノズル体３０に設けられる。これにより、噴射孔３１Ａの間隔Ｌａのそれぞれが不等間隔となる。図１１中の参照符号（１）〜（８）は、散水領域を示している。なお、噴射ノズル１６周囲の参照符号（０）は、実施形態においては、散水されない領域を示している。これは、図４においても同様である。
【００５７】
噴射ノズル１６ａでは、噴射孔３１Ａの間隔Ｌａを、到達点４０の間隔Ｌｃが均等になるように設定する。ノズル体３０の天井側半球部Ａが、例えば、ほぼ真球であれば、噴射孔３１Ａの間隔Ｌａのそれぞれは不等間隔となる。図９（ａ）及び図９（ｂ）に示した例では、円弧ＡＲに沿って噴射孔３１Ａが配されている。円状水平面Ｈｘｙに最も近い噴射孔３１Ａｆは、噴射ノズル１６から天井５の最も遠い箇所へ散水する噴射孔となる。また、円状水平面Ｈｘｙから最も離れ、天井５側の頂点Ｖ５に最も近い噴射孔３１Ａｎは、噴射ノズル１６から天井５の最も近い箇所へ散水する噴射孔となる。
【００５８】
このような噴射孔３１Ａを有したノズル体３０を備えた噴射ノズル１６ａでは、天井５の浴室面における流体の到達点４０の間隔Ｌｃを均等にする。したがって、噴射ノズル１６ａにおいても、噴射ノズル１６と同様に、天井５の浴室面への散水にムラが生じにくくなる。これにより、例えば、天井５の浴室面を、より清浄度よく洗浄することができる。
【００５９】
さらに、噴射ノズル１６ａによれば、天井５のノズル体３０の近傍において、到達点４０の間隔Ｌｃが広がる。このため、ノズル体３０の近傍の天井５の浴室面に対する洗浄水の供給量を減らすことができる。したがって、噴射ノズル１６ａにおいても、第１実施形態と同様に、ノズル体３０の近傍における洗浄水の液垂れを抑制できる。これにより、例えば、天井５の浴室面を、清浄度よく、しかも、均一に洗浄することができる。
【００６０】
図１３は、この発明の第２実施形態に係る噴射ノズルの散水性能確認試験の結果を示す図である。図１３に示す散水領域（１）〜（８）は、図１１に示した（１）〜（８）に対応する。
【００６１】
図１３に示すように、散水領域（１）〜（８）のそれぞれに対応した到達点４０の、噴射ノズル１６ａの取り付け位置の中心からの距離は、
（１）  ６０ｍｍ
（２）  １４２ｍｍ
（３）  ２２４ｍｍ
（４）  ３０６ｍｍ
（５）  ３８８ｍｍ
（６）  ４７０ｍｍ
（７）  ５５２ｍｍ
（８）  ６３４ｍｍ
である。
【００６２】
到達点４０の実測値は、
（１）  ６０ｍｍ
（２）  １４０ｍｍ
（３）  ２２０ｍｍ
（４）  ３０５ｍｍ
（５）  ３８５ｍｍ
（６）  ４７５ｍｍ
（７）  ５６０ｍｍ
（８）  ６５０ｍｍ
である。
【００６３】
着水間隔（間隔Ｌｃ）の設定値は、
（１）  ６０ｍｍ
（２）  ８２ｍｍ
（３）  ８２ｍｍ
（４）  ８２ｍｍ
（５）  ８２ｍｍ
（６）  ８２ｍｍ
（７）  ８２ｍｍ
（８）  ８２ｍｍ
と均等にした。
【００６４】
着水間隔（間隔Ｌｃ）の実測値は、
（１）  ６０．０ｍｍ
（２）  ８０．０ｍｍ
（３）  ８０．０ｍｍ
（４）  ８５．０ｍｍ
（５）  ８０．０ｍｍ
（６）  ９０．０ｍｍ
（７）  ８５．０ｍｍ
（８）  ９０．０ｍｍ
であった。このように、第２実施形態では、天井５の到達点４０をほぼ均等にできた。
【００６５】
このように、天井５の到達点４０をほぼ均等にできる第２実施形態によれば、噴射ノズル１６ａが、散水空間、例えば浴室２の中心から外れた位置に配置されても、天井５の浴室面（噴射ノズル取付面）への散水にムラが生じにくくなる、という利点を得ることができる。
【００６６】
以下、この発明の第２実施形態に係る噴射ノズルについて、さらに詳細に説明する。  
図１４（ａ）及び図１５（ａ）は、噴射ノズル１６の取り付け位置と到達点４０との関係を示す模式平面図である。図１４（ｂ）及び図１５（ｂ）は、噴射ノズル１６の取り付け位置と到達点４０との関係を示す模式側面図である。図１４（ｂ）に示す模式側面は、図１４（ａ）中のＢ−Ｂ線に沿っている。図１５（ｂ）に示す模式側面は、図１５（ａ）中のＢ−Ｂ線に沿っている。
【００６７】
＜噴射ノズルを天井中心に取り付ける場合＞
図１４（ａ）及び図１４（ｂ）は、噴射ノズル１６ａを、浴室２の天井中心ＢＣに取り付けた場合を示す。天井５の平面形状は、長方形を想定する。
【００６８】
図１４（ａ）及び図１４（ｂ）に示すように、平面形状が長方形の天井５は、長軸、短軸、及び対角線軸を有する。本明細書では、天井５の長軸の方向Ｄｘは第２方向Ｘとし、短軸の方向Ｄｙは第３方向Ｙとする。対角線軸の方向は、対角線軸方向Ｄｄとする。天井５において、天井中心ＢＣから最も遠い箇所は、浴室２の角部６ａ〜６ｄである。つまり、天井５の対角線方向Ｄｄに沿った長さは、長軸方向Ｄｘに沿った長さよりも長い。
【００６９】
噴射孔３１Ａをノズル体３０に設ける際、天井５では対角線方向Ｄｄに沿った長さが長いことが勘案される。例えば、角部６ａ〜６ｄのいずれか１つ、又は角部６ａ〜６ｄのいずれか１つの近傍に到達点４０を設定する。この到達点４０から、天井中心ＢＣに取り付けた噴射ノズル１６のノズル体３０の中心Ｃ（図示せず：図９（ａ）及び図９（ｂ）等参照）に向かって散水ライン４１を設定する。噴射孔３１Ａｆは、この散水ライン４１に沿ってノズル体３０に設けられる。
【００７０】
さらに他の複数の到達点４０を、各到達点４０の間隔が均等になるように設定し、これら到達点４０毎に、ノズル体３０の中心Ｃに向かって複数の散水ライン４１をそれぞれ設定する。複数の噴射孔３１Ａは、これら散水ライン４１のそれぞれに沿って、噴射孔３１Ａｆまでノズル体３０に設ける。
【００７１】
このようにして、噴射孔３１Ａｆ〜３１Ａｎのそれぞれをノズル体３０に設けることで、噴射ノズル１６の取り付け位置から、天井５（噴射ノズル取付面）における最遠到達点の位置までの距離が、噴射方向（例えば、長軸方向Ｄｘ、短軸方向Ｄｙ、及び対角線方向Ｄｄ）によって異なっていたとしても、天井５の全体に散水可能となり、天井５を綺麗に洗浄することができる。
【００７２】
＜噴射ノズルを天井中心から外れた位置に取り付ける場合＞
図１５（ａ）及び図１５（ｂ）は、噴射ノズル１６ａを、浴室２の天井中心ＢＣから外れた位置に取り付けた場合を示す。天井５の平面形状は、長方形を想定する。
【００７３】
図１５（ａ）及び図１５（ｂ）に示すように、噴射ノズル１６ａを、天井中心ＢＣから外れた位置に取り付ける場合も、図１４（ａ）及び図１４（ｂ）を参照して説明した手法と同様に天井５では対角線方向Ｄｄに沿った長さが長いことを勘案し、噴射孔３１Ａをノズル体３０に設ければよい。例えば、噴射ノズル１６ａが、角部６ａの近傍に取り付けられる場合、噴射ノズル１６から最も遠い箇所は、浴室２の角部６ｃとなる。そこで、角部６ｃ、又は角部６ｃの近傍に到達点４０を設定する。この到達点４０から、角部６ａの近傍に取り付けた噴射ノズル１６ａのノズル体３０の中心Ｃに向かって散水ライン４１を設定する。噴射孔３１Ａｆは、この散水ライン４１に沿ってノズル体３０に設けられる。
【００７４】
さらに他の複数の到達点４０を、各到達点４０の間隔が均等になるように設定し、これら到達点４０毎に、ノズル体３０の中心Ｃに向かって複数の散水ライン４１をそれぞれ設定し、複数の噴射孔３１Ａを、これら散水ライン４１のそれぞれに沿って、噴射孔３１Ａｆまでノズル体３０に設けていけばよい。
【００７５】
図１６（ａ）及び図１６（ｂ）は、参考例に係る噴射ノズル１６ｒの取り付け位置と到達点４０との関係を示す模式側面図である。図１６（ａ）に示す模式側面は、図１４（ｂ）に示した模式側面に対応し、図１６（ｂ）は、図１５（ｂ）に示した模式側面に対応する。
【００７６】
参考例に係る噴射ノズル１６ｒでは、噴射孔３１Ａの間隔Ｌａを、散水ライン４１の角度θｖが均等になるように設定する。このため、噴射ノズル１６ｒから最も遠い箇所に散水できる噴射孔３１Ａは、例えば、円状水平面Ｈｘｙから角度θｖずれた噴射孔３１Ａｆとなる。つまり、噴射ノズル１６ｒでは、最遠到達点の位置が、噴射孔３１Ａｆで決まってしまう。このため、噴射ノズル１６ｒを天井中心ＢＣに取り付けた場合では、図１６（ａ）に示すように、天井５の全体に散水できていたとしても、噴射ノズル１６ｒを角部６ａの近傍に取り付けた場合には、図１６（ｂ）に示すように、天井５に、散水困難な箇所５０が発生する。
【００７７】
このような事情に対して、第２実施形態では、散水ライン４１の角度θｖに関わらずに、最遠到達点となる到達点４０に着目し、さらに、最遠到達点となる到達点４０から、間隔Ｌｃを均等にしながら、他の到達点４０を定めるようにしている。最遠到達点は、天井５の平面形状や大きさ、噴射ノズル１６ａの取り付け位置等によって変化する。第２実施形態では、このような変化に適宜対処しながら、最遠到達点となる到達点４０を定める。
【００７８】
このようにして得た噴射ノズル１６ａによれば、天井５の平面形状や、その大きさ、噴射ノズル１６ａの取り付け位置が変わったとしても、散水困難な箇所５０を発生させることなく、天井５の全体に、天井５の隅も含めて散水できる。したがって、天井５の全体を、その隅も含めて、綺麗に洗浄することができる。
【００７９】
＜第１変形例＞
図１７は、この発明の第２実施形態の第１変形例に係る噴射ノズル１６ｍａの一例を示す模式断面図である。図１７に示す模式断面は、図１２（ｂ）に示した模式断面と対応する。なお、図１７には、散水ライン４１が図示される。
【００８０】
図１７に示すように、第１変形例に係る噴射ノズル１６ｍａが、噴射ノズル１６と異なるところは、ノズル体３０ｍａが、楕円状の球面を有することである。このように、ノズル体３０ｍａは、球（例えば、ほぼ真球）でなくてもよい。ノズル体３０ｍａでは、長軸が第１方向Ｚに沿った楕円型である。ノズル体３０ｍａが楕円型であっても、複数の噴射孔３１Ａは、球（例えば、ほぼ真球）型の場合と同様に、到達点４０の間隔Ｌｃを均等に設定することで得られる散水ライン４１に沿ってノズル体３０ｍａに設けられればよい。
【００８１】
＜第２変形例＞
図１８は、この発明の第２実施形態の第２変形例に係る噴射ノズル１６ｍｂの一例を示す模式断面図である。図１８に示す模式断面は、図１２（ｂ）に示した模式断面と対応する。なお、図１８には、散水ライン４１が図示される。
【００８２】
図１８に示すように、第２変形例に係る噴射ノズル１６ｍｂが、噴射ノズル１６ｍａと異なるところは、ノズル体３０ｍｂが、長軸が第２方向Ｘに沿った楕円型であることである。ノズル体３０ｍｂは、長軸が第２方向Ｘに沿った楕円型であってもよい。
【００８３】
＜第３変形例＞
図１９は、この発明の第２実施形態の第３変形例に係る噴射ノズル１６ｍｃの一例を示す模式断面図である。図１９に示す模式断面は、図１２（ｂ）に示した模式断面と対応する。なお、図１９には、散水ライン４１が図示される。
【００８４】
図１９に示すように、第３変形例に係る噴射ノズル１６ｍｃが、噴射ノズル１６ｍｂと異なるところは、ノズル体３０ｍｃが、天井側半球部Ａにおいて長軸が第１方向Ｚに沿った楕円型であり、床側半球部Ｂにおいて球型であることである。ノズル体３０ｍｃは、おおよそたまご型となる。ノズル体３０ｍｃのように、ノズル体は、楕円状の球面と、ほぼ真球状の球面とを組み合わせて有していてもよい。
【００８５】
第１〜第３変形例に示したように、ノズル体３０は、楕円型のノズル体３０ｍａ及び３０ｍｂ、あるいはたまご型のノズル体３０ｍｃのように、様々な球面を有した形状に変形させることが可能である。さらに、ノズル体３０は、図１７〜図１９に示した以外の球面を有した形状にも、適宜変形させることも可能である。
【００８６】
また、特に図示しないが、散水ライン４１は、ノズル体３０の中心Ｃに集束されなくてもよい。散水ライン４１が集束する点は、例えば、天井側半球部Ａと、床側半球部Ｂとで別々の位置にあってもよい。
【００８７】
＜第４変形例＞
図２０は、この発明の第２実施形態の第４変形例に係る噴射ノズル１６ｍｄの一例を示す模式側面図である。図２０に示す模式側面は、図１４（ｂ）に示した模式側面と対応する。
【００８８】
図２０に示すように、第４変形例に係る噴射ノズル１６ｍｄが、噴射ノズル１６と異なるところは、天井５の到達点４０の間隔Ｌｃに加えて、床７の到達点４０ｄの間隔Ｌｄについても、さらに均等に設定したことである。また、内壁４の到達点４０ｅの間隔Ｌｅについても、均等に設定してもよい。
【００８９】
噴射ノズル１６ｍｄのノズル体３０ｍｄでは、複数の噴射孔３１Ｂ（図示せず：図９等参照）のうち、床７に向けて液体を噴射する噴射孔３１Ｂが、間隔Ｌｄを均等に設定することで得られた散水ライン４１に沿って、ノズル体３０ｍｄに設けられる。また、間隔Ｌｅも均等に設定した場合、複数の噴射孔３１Ｂのうち、内壁４に向けて液体を噴射する噴射孔３１Ｂが、間隔Ｌｅを均等に設定することで得られた散水ライン４１に沿って、ノズル体３０ｍｄに設けられる。
【００９０】
このように、噴射孔３１Ａのみならず、噴射孔３１Ｂについても、床７の到達点４０ｄの間隔Ｌｄ、及び内壁４の到達点４０ｅの間隔Ｌｅの少なくとも１つを均等になるように設定し、各到達点４０ｄ及び／又は４０ｅからノズル体３０ｍｄへ向かう散水ライン４１に沿ってノズル体３０ｍｄに設けるようにしてもよい。
【００９１】
＜第５変形例＞
図２１は、この発明の第２実施形態の第５変形例に係る噴射ノズル１６ｍｅの一例を示す模式側面図である。図２１に示す模式側面は、図１５（ｂ）に示した模式側面と対応する。
【００９２】
図２１に示すように、第５変形例に係る噴射ノズル１６ｍｅが、噴射ノズル１６ｍｄと異なるところは、噴射ノズル１６ｍｅが、天井中心ＢＣから外れた位置に取り付けられていることである。
【００９３】
噴射ノズル１６ｍｅを、天井中心ＢＣから外れた位置に取り付けた場合でも、噴射孔３１Ｂ（図示せず：図９（ａ）及び図９（ｂ）等参照）は、床７の到達点４０ｄの間隔Ｌｄ、及び内壁４の到達点４０ｅの間隔Ｌｅの少なくとも１つを均等になるように設定し、各到達点４０ｄ及び／又は４０ｅからノズル体３０ｍｅへ向かう散水ライン４１に沿ってノズル体３０ｍｅに設けることが可能である。
【００９４】
＜第６変形例＞
図２２は、この発明の第２実施形態の第６変形例に係る噴射ノズル１６ｍｆの一例を示す模式側面図である。図２２に示す模式側面は、図１５（ｂ）に示した模式側面と対応する。
【００９５】
図２２に示すように、第６変形例に係る噴射ノズル１６ｍｆが、噴射ノズル１６ｍｅと異なるところは、噴射ノズル１６ｍｆに近接した内壁４に、到達点４０ｆを設定したことである。
【００９６】
噴射ノズル１６ｍｆを、天井中心ＢＣから外れた位置に取り付けた場合、内壁４には、噴射ノズル１６ｍｆに近接した近接側の内壁４と、噴射ノズル１６ｍｆから遠く離れた遠方側の内壁４とが生じる。近接側の内壁４と、遠方側の内壁４とが生じた場合、到達点４０ｆは、近接側の内壁４に設定してもよい。噴射ノズル１６ｍｆでは、噴射孔３１Ｂ（図示せず：図９（ａ）及び図９（ｂ）等参照）は、近接側の内壁４の到達点４０ｆの間隔Ｌｆを均等になるように設定し、各到達点４０ｆからノズル体３０ｍｆへ向かう散水ライン４１に沿ってノズル体３０ｍｆに設けられる。
【００９７】
＜第７変形例＞
図２３は、この発明の第２実施形態の第７変形例に係る噴射ノズル１６ｍｇの一例を示す模式側面図である。図２３に示す模式側面は、図１５（ｂ）に示した模式側面と対応する。
【００９８】
図２３に示すように、第７変形例に係る噴射ノズル１６ｍｇが、噴射ノズル１６ｍｆと異なるところは、噴射ノズル１６ｍｆから遠く離れた遠方側の内壁４、及び噴射ノズル１６ｍｇに近接した内壁４のそれぞれに、到達点４０ｅ及び到達点４０ｆを設定したことである。
【００９９】
噴射ノズル１６ｍｇでは、噴射孔３１Ｂ（図示せず：図９（ａ）及び図９（ｂ）等参照）は、到達点４０ｅの間隔Ｌｅを均等に設定し、さらに、到達点４０ｆの間隔Ｌｆを均等に設定し、各到達点４０ｅ及び４０ｆからノズル体３０ｍｆへ向かう散水ライン４１に沿ってノズル体３０ｍｇに設けられる。
【０１００】
なお、第４〜第７変形例において、間隔Ｌｃ、Ｌｄ、Ｌｅ、及びＬｆは、散水量等を勘案し、それぞれに最適な間隔が設定されてもよい。即ち、間隔Ｌｃ、Ｌｄ、Ｌｅ、及びＬｆは、異なっていてもよい。
【０１０１】
（第３実施形態）
＜噴射ノズル＞
図２４（ａ）は、この発明の第３実施形態に係る噴射ノズルの一例を示す模式側面図である。図２４（ｂ）は、この発明の第３実施形態に係る噴射ノズルの一例を示す模式斜視図である。
【０１０２】
図２４（ａ）及び図２４（ｂ）に示すように、第３実施形態に係る噴射ノズル１６ｂが、噴射ノズル１６と異なるところは、噴射孔３１Ａが、ノズル体３０の径方向にずれて、ノズル体３０の表面に設けられていることである。また、噴射ノズル１６ｂでは、噴射孔３１Ｂについても、ノズル体３０の径方向にずれて、ノズル体３０の表面に設けられている。噴射孔３１Ａのそれぞれは、ノズル体３０の天井５側の頂点Ｖ５と、ノズル体３０の床７側の頂点Ｖ７とを通り、ノズル体３０の表面に描いた１つの円の円弧ＡＲに沿わなくても、他の円の円弧ＡＲのそれぞれに沿って設けられていてもよい。円状水平面Ｈｘｙにおける隣り合う円弧ＡＲを分離する角度θｈは、例えば、均等である。
【０１０３】
噴射ノズル１６ｂでは、噴射孔３１Ａを、ノズル体３０の径方向にずらして、ノズル体３０の表面に設ける。これにより、噴射孔３１Ａが干渉することなく、噴射孔３１Ａを、ノズル体３０の表面に設けることができる。噴射孔３１Ａの干渉は、ノズル体３０の大きさを小さくした場合、あるいは広い浴室２を洗浄する場合など、噴射孔３１Ａの円弧ＡＲに沿った間隔が狭まったときに発生する。
【０１０４】
第３実施形態によれば、ノズル体３０の大きさを小さくした場合、あるいは広い浴室２を洗浄する場合であっても、噴射孔３１Ａを干渉させることなく、ノズル体３０の表面に設けることができる。
【０１０５】
＜第１変形例＞
図２５は、この発明の第３実施形態の第１変形例に係る噴射ノズルの一例を示す模式側面図である。
【０１０６】
図２５に示すように、第１変形例に係る噴射ノズル１６ｂｍａが、噴射ノズル１６ｂと異なるところは、噴射孔３１Ａが、左右に分散されて、ノズル体３０の表面に設けられていることである。
【０１０７】
このように、噴射孔３１Ａを、ノズル体３０の径方向にずらすとき、噴射孔３１Ａは、ノズル体３０の球面上で、ノズル体３０の天井５側の頂点Ｖ５と、ノズル体３０の床７側の頂点Ｖ７とを通り、ノズル体３０の表面に描いた１つの円の円弧ＡＲに乗るように設けなくても、ノズル体３０の球面上で分散、例えば、左右に分散させて設けることも可能である。
【０１０８】
＜第２変形例＞
図２６は、この発明の第３実施形態の第２変形例に係る噴射ノズルの一例を示す模式側面図である。
【０１０９】
図２６に示すように、第２変形例に係る噴射ノズル１６ｂｍｂが、噴射ノズル１６ｂｍｂと異なるところは、噴射孔３１Ｂも、左右に分散されて、ノズル体３０の表面に設けられていることである。
【０１１０】
このように、噴射孔３１Ｂについても、ノズル体３０の径方向にずらすとき、ノズル体３０の球面上で分散、例えば、左右に分散させて設けてもよい。
【０１１１】
なお、第３実施形態、第３実施形態の第１変形例、及び第３実施形態の第２変形例のそれぞれは第２実施形態の第１〜第７変形例と組み合わせて実施することも可能である。
【０１１２】
また、第１実施形態において、噴射孔３１Ａ及び３１Ｂの配置を、第３実施形態、第３実施形態の第１変形例、及び第３実施形態の第２変形例のように変形させることも可能である。
【０１１３】
（第４実施形態）
＜噴射ノズル＞
図２７は、この発明の噴射ノズルと散水領域との関係を示す図である。図２８は、この発明の第４実施形態に係る噴射ノズルの噴射孔の一例を示す模式図である。
【０１１４】
第４実施形態に係る噴射ノズル１６ｃは、第１実施形態に係る噴射ノズル１６と、第２実施形態に係る噴射ノズル１６ｃと、を組み合わせた例である。
【０１１５】
第２実施形態のように、到達点４０の間隔Ｌｃを均等になるように設定した場合でも、噴射孔３１から噴射された液体の、天井５の浴室面における各到達点４０が、ノズル体３０ｃの回転によって天井５の浴室面に描く流体到達線４２で仕切られた範囲が想定される。範囲は、散水領域（１）〜（８）である。散水領域（１）〜（８）においても、これらの面積は、噴射ノズル１６ｃから内壁４に向かうにつれて大きくなる。散水領域（１）〜（８）の面積が大きくなると、洗浄に必要な液体の量が増える。このため、内壁４に近いほど、多くの液体が必要となる。
【０１１６】
そこで、図２８に示すように、噴射ノズル１６ｃでは、散水領域（１）〜（８）のそれぞれの面積に応じて、噴射孔３１Ａの断面積ＳＨ１〜ＳＨ４を設定した。ノズル体３０ｃでは、床側に近い噴射孔３１Ａｆから噴射される液体は内壁４に向かい、天井側に近い噴射孔３１Ａｎから噴射される液体は噴射ノズル１６ｃの近くに向かう。第４実施形態では、床側では、噴射孔３１Ａの断面積を大きくし、天井側に向かうにつれて噴射孔３１Ａの断面積を小さくする（ＳＨ１＜ＳＨ２＜ＳＨ３＜ＳＨ４）。また、噴射孔３１Ａの、円弧ＡＲに沿った間隔Ｌａ１〜Ｌａ３は、不等間隔である（Ｌａ１＜Ｌａ２＜Ｌａ３）。
【０１１７】
図２９は、この発明の第４実施形態に係る噴射ノズルの散水性能確認試験の結果を示す図である。
【０１１８】
図２９に示すように、最も内壁４に近い散水領域（８）の面積は、最も噴射ノズル１６ｃに近い散水領域（１）の面積の、約６．５〜６．７倍ある。そこで、噴射孔３１Ａの面積を、
（１）  ０．２ｍｍ2
（２）  ０．４ｍｍ2
（３）  ０．５ｍｍ2
（４）  ０．７ｍｍ2
（５）  ０．８ｍｍ2
（６）  １．０ｍｍ2
（７）  １．２ｍｍ2
（８）  １．３ｍｍ2
と、散水領域（１）から散水領域（８）に向かうにつれて大きくした。
【０１１９】
噴射孔３１Ａの噴射水量の実測値は、計測時間当たり、
（１）  ４０ｍＬ
（２）  ８０ｍＬ
（３）  ９５ｍＬ
（４）  １３５ｍＬ
（５）  １５５ｍＬ
（６）  １９０ｍＬ
（７）  ２１５ｍＬ
（８）  ２３５ｍＬ
であった。
【０１２０】
散水領域（１）に対する散水量比は、
（１）  １．０
（２）  ２．０
（３）  ２．４
（４）  ３．４
（５）  ３．９
（６）  ４．８
（７）  ５．４
（８）  ５．９
と、散水領域（１）から散水領域（８）に向かうにつれて大きくなった。散水領域（８）では、散水領域（８）の約５．９倍の散水量となった。
【０１２１】
また、面積比と散水量比との差異は、
（１）  −
（２）  ０％
（３）  −５％
（４）  −４％
（５）  −３％
（６）  −５％
（７）  −１０％
（８）  −１０％
であった。±１０％以内の差異であれば、実用に十分に供し得る結果である。
【０１２２】
このように、散水量を内壁４に向かうにつれて大きくできる第４実施形態によれば、噴射ノズル１６ｃが、散水空間、例えば浴室２の中心から外れた位置に配置されても、散水領域（１）〜（８）のそれぞれの面積に応じて、噴射孔３１Ａの断面積を設定することで、天井５の浴室面へ、適切な散水量で液体を噴射できる噴射ノズル１６ｃを得ることができる。
【０１２３】
なお、第４実施形態は、第２実施形態の第１〜第７変形例、第３実施形態、及び第３実施形態の第１、第２変形例のそれぞれと組み合わせて実施することができる。
【０１２４】
（第５実施形態）
＜散水方法＞
第５実施形態は、散水方法に関する。
図３０（ａ）〜図３０（ｃ）は、この発明の第５実施形態に係る噴射ノズルの散水方法を示す模式図である。
【０１２５】
浴室２の洗浄では、図３０（ａ）に示す洗浄水散水の後、図３０（ｂ）に示す水道水等を用いた濯ぎ水散水が行われる。
【０１２６】
洗浄水散水時、本来散水されない領域に、洗浄水が撥ね飛ぶことがある。このような水滴を参照符号４３により示す。水滴４３は、散水されない領域に撥ね飛んでいるので、濯ぎ水散水時でも、洗い流すことはできない。
【０１２７】
そこで、第５実施形態では、図３０（ａ）及び図３０（ｂ）に示すように、洗浄水散水時において、濯ぎ水散水時よりも水圧、又は水量を下げる。あるいは濯ぎ水散水時において、洗浄水散水時よりも水圧、又は水量を上げる。これにより、洗浄水散水時に、散水されない領域に撥ね飛んだ水滴４３を、濯ぎ水散水時に洗い流すことができる。
【０１２８】
したがって、図３０（ｃ）に示すように、乾燥機２２により浴室２の中を乾燥させても、水滴４３が、汚れや水垢として残ることがない。
【０１２９】
このような第５実施形態によれば、洗浄水散水時において、濯ぎ水散水時よりも水圧、又は水量を下げる。あるいは濯ぎ水散水時において、洗浄水散水時よりも水圧、又は水量を上げることで、洗浄後に残る浴室２に残る汚れや水垢を、さらに減らすことができる。
【０１３０】
また、洗浄効果を上げるためには、第５実施形態のように、洗剤成分を含む洗浄水を散水した後、水道水から、シリカ、カルシウム、及びマグネシウム等の溶解物質を除去した溶解物質除去水を用いて濯ぎ水散水を行うとよい。これにより、シリカ、カルシウム、及びマグネシウム等が、例えば、水垢として残ることが、さらに抑制される。
【０１３１】
また、乾燥効果を上げるためには、濯ぎ水を加温しておくとよい。加温された濯ぎ水は、加温していない濯ぎ水よりも蒸発しやすい。このため、乾燥機２２の稼働時間を短縮でき、浴室洗浄システムのランニングコストを下げることが可能となる。
【０１３２】
このような第５実施形態は、例えば、第２実施形態、第２実施形態の第１〜第７変形例、第３実施形態、第３実施形態の第１、第２変形例、及び第４実施形態の少なくともいずれか１つと組み合わせて実施されるとよい。組み合わせて実施することで、噴射ノズル１６が、散水空間の中心から外れた位置に配置されても、噴射ノズル取付面への散水にムラが生じにくく、しかも、汚れや水垢も残りにくくなる、という利点を、さらに得ることができる。
【０１３３】
（第６実施形態）
＜空間＞
図３１（ａ）は、空間の第１例を示す模式斜視図である。図３１（ｂ）は、空間の第２例を示す模式斜視図である。
【０１３４】
図３１（ａ）に示すように、空間は角筒形の内壁４を含む他、図３１（ｂ）に示すように、円筒形の内壁４を含むようにしてもよい。内壁４は、天井５と床７との間に設けられている。角筒形の内壁４を含む空間の代表例は、上述した浴室２である。角筒形の内壁４を含む空間は、浴室２に限られるものではなく、浴室２以外の部屋でもよい。円筒形の内壁４を含む空間の代表例は、例えば、タンク、及びチャンバである。なお、タンク、及びチャンバは、円筒形空間に限られるものではなく、角筒形の内壁４を含む空間であってもよい。同様に、浴室２、及び部屋についても、角筒形の内壁４を含む空間に限られるものでなく、円筒形の内壁４を含む空間であってもよい。
【０１３５】
角筒形の内壁４を含む空間、及び円筒形の内壁４を含む空間のそれぞれは、区画体として、天井５と、床７と、内壁４と、を含む。ただし、内壁４、天井５、及び床７の少なくともいずれか１つは、無くてもよい。例えば、区画体は、天井５だけもよいし、床７だけでもよい。また、区画体は、内壁４と天井５だけでもよいし、内壁４と床７だけでもよい。さらに、区画体は、内壁４だけでもよいし、天井５と床７だけでもよい。
【０１３６】
また、空間の天井５は、扁平な天井に限らず、例えば、ドーム型天井等のように曲面を有した天井であってもよい。また、空間の天井５は、水平に配置されるばかりでなく、例えば、傾斜天井等のように、水平に対して傾斜した天井であってもよい。
【０１３７】
以上、この発明のいくつかの実施形態を説明した。この発明は、上述した実施形態に限られるものではない。例えば、実施形態に係る噴射ノズルは、区画体の、空間に面した表面の洗浄に使用される他、
・区画体の、空間に面した表面を消毒すること、
・区画体の、空間に面した表面を防黴処理すること、
・区画体の、空間に面した表面を防菌処理すること（本明細書において、防菌は抗菌を含む）、
・区画体の、空間に面した表面を、区画体の、空間に面した表面に定着可能な物質で覆うこと、並びに
・区画体の、空間に面した表面の温度、及び空間の内部の温度の少なくともいずれか１つを変化させること、
の少なくともいずれか１つに使用することができる。
【０１３８】
区画体の、空間に面した表面を、区画体の、空間に面した表面に定着可能な物質で覆うことの例としては、コーティングを挙げることができる。コーティングの例としては、区画体の、空間に面した表面の塗装、区画体の、空間に面した表面の錆止め剤塗布、及び区画体の、空間に面した表面の防水コート等を挙げることができる。
【０１３９】
また、区画体の、空間に面した表面の温度、及び空間の内部の温度の少なくともいずれか１つを変化させることは、温調を挙げることができる。例えば、温調の例としては、利用者が浴室２を利用する前に、事前に浴室２内を温めておくことが挙げられる。事前に浴室２内を温めておくと、例えば、気温が低いとき等に起こり得る利用者のヒートショックを予防できる。実施形態に係る噴射ノズルは、流体の散布にムラが生じにくいので、浴室２の内部を、ムラなく均等に、効率よく温めることが可能である。また、温調は、加温に限られるものではなく、冷却であってもよい。
【０１４０】
また、空間の内部に位置し、空間を区画する区画体の、空間に面した表面に向けて流体を噴射する噴射ノズルに、上述した実施形態に係る噴射ノズルを用いることで、
・区画体の、空間に面した表面を消毒すること、
・区画体の、空間に面した表面を防黴処理すること、
・区画体の、空間に面した表面を防菌処理すること、
・区画体の、空間に面した表面を、区画体の、空間に面した表面に定着可能な物質で覆うこと、並びに
・区画体の、空間に面した表面の温度、及び空間の内部の温度の少なくともいずれか１つを変化させること、
の少なくともいずれか１つを実行する噴射システムを得ることができる。
【０１４１】
例えば、空間が浴室であり、区画体が天井、床、及び内壁のそれぞれを含む場合、噴射システムは、
・天井、床、及び内壁のそれぞれを、洗浄すること、
・天井、床、及び内壁のそれぞれを、消毒すること、
・天井、床、及び内壁のそれぞれを、防黴処理すること、
・天井、床、及び内壁のそれぞれを、防菌処理すること、
・天井、床、及び内壁のそれぞれを、区画体の、空間に面した表面に定着可能な物質で覆うこと、並びに
・天井の温度、床の温度、内壁の温度、及び浴室の内部の温度の少なくともいずれか１つを変化させること、
の少なくともいずれか１つを実行する。
【０１４２】
また、上述した実施形態では、噴射ノズル１６等は、液体を噴射する例を示したが、噴射ノズル１６は、液体を噴射するものに限られるものではない。例えば、気体を噴射することも可能である。噴射ノズル１６等は、液体、及び気体等の流体を噴射することができる。
【０１４３】
さらに、上述した実施形態は例として提示したものであり、発明の範囲を限定することを意図していない。例えば、上記いくつかの実施形態では、噴射ノズル１６を天井５に取り付けた例を示したが、噴射ノズル１６は、天井５以外に取り付けること、例えば、内壁４に取り付けることも可能である。この場合、噴射ノズル１６の噴射ノズル取付面は、内壁４となる。噴射４ノズルを内壁４に取り付けた場合、噴射孔３１Ａは、噴射ノズル取付面、即ち内壁４における到達点の間隔を均等になるように設定し、各到達点からノズル体３０へ向かうラインに沿ってノズル体３０に設けることができる。
【０１４４】
さらに、この発明は、上記いくつかの実施形態の他、様々な新規な形態で実施することができる。したがって、上記いくつかの実施形態のそれぞれは、この発明の要旨を逸脱しない範囲で、種々の省略、置き換え、変更が可能である。このような新規な形態や変形は、この発明の範囲や要旨に含まれるとともに、特許請求の範囲に記載された発明、及び特許請求の範囲に記載された発明の均等物の範囲に含まれる。
【符号の説明】
【０１４５】
１    ：洗浄システム
２    ：浴室
３    ：浴槽
４    ：内壁
５    ：天井
６ａ〜６ｄ：角部
７    ：床
８    ：シャワー
９    ：水栓
１０  ：操作部
１１  ：給水源
１２  ：分岐部
１４  ：給水路
１５  ：制御弁
１６  ：噴射ノズル（第１実施形態）
１６ａ：噴射ノズル（第２実施形態）
１６ｍａ：噴射ノズル（第２実施形態：第１変形例）
１６ｍｂ：噴射ノズル（第２実施形態：第２変形例）
１６ｍｃ：噴射ノズル（第２実施形態：第３変形例）
１６ｍｄ：噴射ノズル（第２実施形態：第４変形例）
１６ｍｅ：噴射ノズル（第２実施形態：第５変形例）
１６ｍｆ：噴射ノズル（第２実施形態：第６変形例）
１６ｍｇ：噴射ノズル（第２実施形態：第７変形例）
１６ｂ：噴射ノズル（第３実施形態）
１６ｂｍａ：噴射ノズル（第３実施形態：第１変形例）
１６ｂｍｂ：噴射ノズル（第３実施形態：第２変形例）
１６ｒ：噴射ノズル（参考例）
２２  ：乾燥機
２３  ：制御部
３０  ：ノズル体（第２実施形態）
３０ｍａ：ノズル体（第２実施形態：第１変形例）
３０ｍｂ：ノズル体（第２実施形態：第２変形例）
３０ｍｃ：ノズル体（第２実施形態：第３変形例）
３０ｍｄ：ノズル体（第２実施形態：第４変形例）
３０ｍｅ：ノズル体（第２実施形態：第５変形例）
３０ｍｆ：ノズル体（第２実施形態：第６変形例）
３０ｍｇ：ノズル体（第２実施形態：第７変形例）
３０ｂ：ノズル体（第３実施形態）
３０ｂｍａ：ノズル体（第３実施形態：第１変形例）
３０ｂｍｂ：ノズル体（第３実施形態：第２変形例）
３１、３１Ａ、３１Ａｆ、３１Ａｎ、３１Ｂ：噴射孔
３２  ：取り付け部
４０  ：到達点（天井）
４０ｄ：到達点（床）
４０ｅ：到達点（内壁：遠方側）
４０ｆ：到達点（内壁：近接側）
４１  ：散水ライン
４２  ：流体到達線
４３  ：水滴
５０  ：散水困難な箇所
Ａ    ：天井側半球部（取付面側半球部）
Ｂ    ：床側半球部（対向面側半球部）
ＢＣ  ：天井中心
Ｃ    ：中心
Ｄｄ  ：対角線方向
Ｄｘ  ：長軸方向
Ｄｙ  ：短軸方向
Ｖ５  ：天井５側の頂点
Ｖ７  ：床７側の頂点
Ｚ    ：第１方向
Ｘ    ：第２方向
Ｙ    ：第３方向
Ｈｘｙ：円状水平面
ＡＲ  ：円弧
Ｌａ１〜Ｌａ３、Ｌｂ１〜Ｌｂ４：間隔（噴射孔）
Ｌｃ、Ｌｄ、Ｌｅ、Ｌｆ：間隔（到達点）
ＳＨ１〜ＳＨ４：断面積（噴射孔）
ＳＣ１〜ＳＣ４：流体到達線で仕切られた範囲の面積（天井）
ＳＷ１〜ＳＷ６：流体到達線で仕切られた範囲の面積（内壁）
θｖ、θｈ  ：角度
【図１】
2020093239.tif 000003
【図２】
2020093239.tif 000004
【図３】
2020093239.tif 000005
【図４】
2020093239.tif 000006
【図５】
2020093239.tif 000007
【図６】
2020093239.tif 000008
【図７】
2020093239.tif 000009
【図８】
2020093239.tif 000010
【図９】
2020093239.tif 000011
【図１０】
2020093239.tif 000012
【図１１】
2020093239.tif 000013
【図１２】
2020093239.tif 000014
【図１３】
2020093239.tif 000015
【図１４】
2020093239.tif 000016
【図１５】
2020093239.tif 000017
【図１６】
2020093239.tif 000018
【図１７】
2020093239.tif 000019
【図１８】
2020093239.tif 000020
【図１９】
2020093239.tif 000021
【図２０】
2020093239.tif 000022
【図２１】
2020093239.tif 000023
【図２２】
2020093239.tif 000024
【図２３】
2020093239.tif 000025
【図２４】
2020093239.tif 000026
【図２５】
2020093239.tif 000027
【図２６】
2020093239.tif 000028
【図２７】
2020093239.tif 000029
【図２８】
2020093239.tif 000030
【図２９】
2020093239.tif 000031
【図３０】
2020093239.tif 000032
【図３１】
2020093239.tif 000033